(57)【要約】【課題】投写型映像表示装置をパーティションの上端部に安定的に取り付けることにより、投写型映像表示装置の取付状態のバラツキによる映像の歪みを軽減するようにした投写型映像表示システムを提供すること。【解決手段】本発明に係る投写型映像表示システムは、非球面反射ミラー２ａを利用して広角投影を可能にした投写型映像表示装置２と、この投写型映像表示装置２の投影面１ａとして使用されるパーティション１と、投写型映像表示装置２をパ−ティション１の上端部に取り付ける取付部材１０とを備えている。そして、投写型映像表示装置２の後面２ｂと、この後面２ｂと平行に配置される取付部材１０の垂直板部１２との間にパーティション１の上端部を挟み込むようにしている。【選択図】図１
2009216814.tif 000002
【特許請求の範囲】
【請求項１】
非球面反射ミラーを利用して広角投影を可能にした投写型映像表示装置と、この投写型映像表示装置の投影面として使用されるパーティションと、投写型映像表示装置をパ−ティションの上端部に取り付ける取付部材とを備え、
投写型映像表示装置の後面と、この後面と平行に配置される取付部材の垂直板部との間にパーティションの上端部を挟み込むようにした
ことを特徴とする投写型映像表示システム。
【請求項２】
前記取付部材は、投写型映像表示装置を固定するように投写型映像表示装置の上面に重ねて配置される水平板部と前記垂直板部とを備え、前記水平板部は、前記垂直板部と前記投写型映像表示装置の後面との距離を調整とするように投写型映像表示装置の上面に固定され、前記垂直板部には背面から締め付ける固定ねじが取り付けられている
ことを特徴とする請求項１記載の投写型映像表示システム。
【請求項３】
投写型映像表示装置の上面には取付部材の水平板部の左右方向位置を規制する規制部が形成されていることを特徴と請求項２記載の投写型映像表示システム。
【請求項４】
前記規制部は、水平板部の左右の幅と略同一の幅を有するように投写型映像表示装置の上面を成す外板に形成された凹部であることを特徴と請求項３記載の投写型映像表示システム。
【請求項５】
前記規制部は、投写型映像表示装置の上面に形成された水平板部の差込部であって、この差込部は、投写型映像表示装置の後方から水平板部を差し込むように形成されていることを特徴と請求項３記載の投写型映像表示システム。
【発明の詳細な説明】
【技術分野】
【０００１】
本発明は、コンピュータ等で作成された映像や、光ディスク、磁気テープ等の記録媒体に記録された映像を壁面に投影する投写型映像表示装置を利用した投写型映像表示システムに関する。
【背景技術】
【０００２】
このような投写型映像表示システムは、ホームシアター、会議室、研修室、教室、娯楽場、各種展示室、スタジオなど多方面の施設における映像表示装置システムとして利用されている。また、従来多く用いられている投写型映像表示システムは、投写型映像表示装置とスクリーン、壁体などの投影面との間にどうしても数メートルの投影距離を必要とするものが多く、その間に光を遮るものを置くことができないため、使用環境に制約を生じるという問題があった。そこで、このような不便を解消するため、近年投写型映像表示装置と投影面との間の投影距離を短くすることにより、融通性がきき設置性を高めた投写型映像表示システムが開発されている。その一例は、非球面反射ミラーを利用することにより投射距離を極めて短くするとともに投射角度の高い広角投影を可能にした投写型映像表示装置を利用した投影表示システムである。また、このような投写型映像表示システムでは、投写型映像表示装置から投影面までに長い投影距離を必要としないため、図５（ａ）及び（ｂ）に示すように壁面、スクリーンなどの投影面１０１の上部に投写型映像表示装置１０２を設置されることが多い。また、図６（ａ）及び（ｂ）に示すように投影面１０１の下部に投写型映像表示装置１０２が設置されることも多い。
【０００３】
しかしながら、前者のようにスクリーンなどの投影面１０１の上部に投写型映像表示装置１０２を設置したものでは、設置された投写型映像表示装置１０２の直下でプレゼンター１０３が説明することになり、プレゼンター１０３に投写型映像表示装置落下の不安感を抱かせるという問題があった。また、投写型映像表示装置１０２の取付やメンテナンスには高所作業が必要となるため取扱が容易でないという問題があった。さらに、後者のようにスクリーンなどの投影面１０１の下部に投写型映像表示装置１０２を設置したものでは、プレゼンテーション時に投写型映像表示装置１０２が邪魔になるという問題があった。
【０００４】
また、このような問題点を回避した取り付け方として、パーティションの上端部に投写型映像表示装置を吊り下げ状態で取り付けるものが提案されている。図７に示す投写型映像表示システムは、このような投写型映像表示システムの投影時の設置例であって、特許文献１に発表されている。また、同図において、（ａ）は会議室に設置されている投写型映像表示システムの側面図であり、（ｂ）はその正面図である。この図に示すように、この投写型映像表示システムでは、平坦部分２０１の後端にコの字形状部分２０２が形成された金属板からなる設置器具２０３を用意する。そして、平坦部分２０１に非球面反射ミラー２０４ａを備えた投写型映像表示装置２０４を吊り下げ状態に取り付けるとともに、このコの字形状部分２０２にパ−ティション２０５の上端部を差し込み、さらに、固定ねじ２０２ａにより設置器具２０３をパ−ティション２０５の上端部に固定するものである。
【特許文献１】特開２００４−２５２０４９号公報、図３、図７、段落番号００４４〜００４７、段落番号００５５〜００５７
【発明の開示】
【発明が解決しようとする課題】
【０００５】
上記従来のものは、それ以前の投写型映像表示システムに見られた前述の問題点を解決するとともに、パーティション２０５の上端部において水平方向の取付位置を自由に選択できる点で好ましい。しかしながら、このものにおいては、設置器具２０３のコの字形状部分２０２における挟み込み面がパーティション２０５の投影面となる面に当接されて取り付けられるため、設置器具２０３に対する投写型映像表示装置２０４の取付方向や取付位置に狂いがあると、投影される映像が歪むという問題があった。特に、非球面反射ミラー２０４ａを利用して広角投影できるようにした投写型映像表示装置２０４においては、投影方向の向きや投影面との距離が少し異なることにより映像に影響が現れ易くなっている。このため、上記従来のパーティション２０５の上端部に投写型映像表示装置２０４を取り付ける投写型映像表示システムにおいては、投写型映像表示装置の取付方法に関しなお改善の余地が残されていた。
【０００６】
本発明は、このような背景の下になされたものであって、投写型映像表示装置をパーティションの上端部に安定的に取り付けることにより、投写型映像表示装置の取付状態のバラツキによる映像の歪みを軽減するようにした投写型映像表示システムを提供することを目的とする。
【課題を解決するための手段】
【０００７】
本発明に係る投写型映像表示システムは、非球面反射ミラーを利用して広角投影を可能にした投写型映像表示装置と、この投写型映像表示装置の投影面として使用されるパーティションと、投写型映像表示装置をパ−ティションの上端部に取り付ける取付部材とを備え、投写型映像表示装置の後面と、この後面と平行に配置される取付部材の垂直板部との間にパーティションの上端部を挟み込むようにしたことを特徴とする。
【０００８】
なお、本明細書においては、パーティションの手前を前とし、パーティションの後側を後とする。また、投写型映像表示装置をパーティションの手前側から見る面を投写型映像表示装置の正面とする。
【０００９】
このように構成すると、投写型映像表示装置の後面と取付部材の垂直板部との間にパーティションの上端部を挟み込むことにより、投写型映像表示装置の後面が常に投影面を形成する壁面に密着した状態で取り付けられるので、投影面に対する投写型映像表示装置の取付角度及び投写型映像表示装置の非球面反射ミラーと投影面との距離が常に一定の状態で取り付けられる。したがって、例えばパーティションの上端部における取付位置を左右方向に移動させた場合でも、安定した映像を供給することができる。
【００１０】
また、前記取付部材は、投写型映像表示装置を固定するように投写型映像表示装置の上面に重ねて配置される水平板部と前記垂直板部とを備え、前記水平板部は、前記垂直板部と前記投写型映像表示装置の後面との距離を調整とするように投写型映像表示装置の上面に固定され、前記垂直板部には背面から締め付ける固定ねじが取り付けられているように構成されていることが好ましい。従来の投写型映像表示システムでは、パ−ティションの上端部を差し込むコの字形状部分の間隔寸法が固定とされているため、適応できるパーティションの厚みは、固定ねじによる調整範囲のみとなり、適応範囲が狭いという問題があった。しかしながら、上記のように構成すると、投写型映像表示装置の上面に重ねて取り付けられる取付部材の水平板部の取付位置の調整により、投写型映像表示装置の後面と取付部材の垂直板部との距離を調節することができる。さらに、この調整に加え、従来のものと同様固定ねじによってもパーティションの厚みを調整することが可能となる。したがって、上記のように構成すると、従来のものより差し込みのできるパーティションの厚さ寸法の適用範囲を広くすることができる。
【００１１】
また、投写型映像表示装置の上面には取付部材の水平板部の左右方向位置を規制するように規制部が形成されていることが好ましい。このように構成すると、取付部材の投写型映像表示装置に対する取り付け角度が安定するので、投影面に対する投写型映像表示装置の取付方向を安定させることができ、より一層歪みの少ない映像を供給することができる。
【００１２】
また、前記規制部は、水平板部の左右の幅と略同一の幅を有するように投写型映像表示装置の上面を成す外板に形成された凹部としてもよい。このように構成すると、投影面に対する投写型映像表示装置の取付方向を安定させることができるとともに、取付部材が投写型映像表示装置の上面に出っ張らないので、投写型映像表示装置の取付時の見栄えが良好となる。
【００１３】
また、前記規制部は、投写型映像表示装置の上面に形成された水平板部の差込部であって、この差込部は、投写型映像表示装置の後方から水平板部を差し込むように形成されているようにしてもよい。このように構成すると、投影面に対する投写型映像表示装置の取付方向を安定させることができるとともに、取付部材に投写型映像表示装置を取り付ける場合に、投写型映像表示装置の差込部に水平板部を差し込むことにより投写型映像表示装置を仮支持することができる。したがって、投写型映像表示装置をパーティションの所定位置の上端部に取り付ける作業しながら、水平板部の投写型映像表示装置に対する取付位置を調整することができるので、投写型映像表示装置の取付作業が的確かつ容易化される。また、投写型映像表示装置の水平板部への固定は、このように仮支持した状態で行うことができるので、投写型映像表示装置のメンテナンスなどのために投写型映像表示装置を取付部材から取り外したり、再度取り付けたりする作業が容易になる。
【発明の効果】
【００１４】
本発明によれば、壁面に対する投写型映像表示装置の取付角度及び投写型映像表示装置の非球面反射ミラーと投影面との距離が常に一定の状態で取り付けられる。したがって、例えばパーティションの上端部における取付位置を左右方向に移動させた場合でも、安定した映像を供給することができる。
【発明を実施するための最良の形態】
【００１５】
(実施の形態１)
本発明の実施の形態１に係る投写型映像表示システムついて、図面に基づいて詳細に説明する。本実施の形態に係る投写型映像表示システムは、図１（ａ）〜（ｃ）に示すように、投影面１ａが形成されているパーティション１の上端部に投写型映像表示装置２を取り付け、投写型映像表示装置２からの映像をパーティション１の投影面１ａに投影するものである。投写型映像表示装置２は、例えば、光変調素子に液晶パネルを用いた液晶プロジェクタであって、非球面反射ミラー２ａを利用することにより広角投影を可能にしたものである。なお、同図において、３はプレゼンターである。
【００１６】
投写型映像表示装置２は、取付部材１０によりパーティションの上端部の適宜の位置に取り付けられる。
取付部材１０は、図２（ａ）〜（ｃ）に示されるように、投写型映像表示装置２の上面に重ねるようにして取り付けられる水平板部１１と、投写型映像表示装置２の後面２ｂと平行に配置される垂直板部１２とを備えている。一方、投写型映像表示装置２の上面を成す外板１３における水平板部１１が重ねられる位置には、後面から前方に向けて水平板部１１の板厚分低くなった凹部１４が形成されている。凹部１４の幅は、水平板部１１の幅寸法に略合わされている。したがって、この凹部１４に水平板部１１を重ねることにより投写型映像表示装置２に対する水平板部１１の取付方向が規制される。また、凹部１４の前後方向の寸法は、凹部１４に水平板部１１を重ねた状態で前後させることにより、垂直板部１２と投写型映像表示装置２の後面２ｂとの間の寸法Ｌ（図２（ａ）参照）を適当な長さとすることができるように設定されている。この凹部１４は、本発明における規制部を成す。
【００１７】
さらに、この凹部１４には、投写型映像表示装置２取付用のボルト１５を締結するためのボルト孔として、前後方向を長手方向とする長孔１６が形成されている。投写型映像表示装置２の上面を成す外板１３にこのような長孔１６を設けることにより、水平板部１１を前後方向に位置調整して固定することができる（図２及び図３参照）。
【００１８】
また、取付部材１０の垂直板部１２には、図３（ａ）に示すように、固定ねじ２０を取り付けるためのねじ孔１７が設けられている。また、このねじ孔１７の強度を補強するためにねじ座１８が取り付けられている。
【００１９】
固定ねじ２０は、投写型映像表示装置２の後面２ｂと取付部材１０の垂直板部１２との間に差し込んだパーティション１の上端部に取付部材１０及び投写型映像表示装置２を固定するためのである。固定ねじ２０は、図３(ｂ)に示すように、ねじ孔１７に螺合されるねじ部２１の後部に断面形状が四角形の把持部２２が形成されている。また、ねじ部２１の前方にはねじ部２１より細い径の軸部２３が形成されている。この軸部２３は、円板状の当て金２４の中央部の薄肉部に形成された貫通孔２４ａを遊貫し、その先端部がかしめられることにより固定ねじ２０の先端に円板状の当て金２４が回転自在に固定されている。上記構成において、ねじ部２１と軸部２３との間に形成されている段部２０ａは、固定ねじ２０を締め付けるときに当て金２４を押圧する機能を有する。
【００２０】
固定ねじ２０を垂直板部１２に取り付けるときは、先ず軸部２３の先端部に当て金２４を取り付けておく。次に、垂直板部１２の前面側から垂直板部１２のねじ孔１７に対し固定ねじ２０の把持部２２を貫通させ、この把持部２２を持って固定ねじ２０のねじ部２１をねじ孔１７に螺合する。そして、当て金２４が垂直板部１２の前面に当接した状態とする。投写型映像表示装置２をパーティション１に取り付ける前段階として、取付部材１０に固定ねじ２０をこのような状態に取り付けておく。
【００２１】
上記のように構成された本実施の形態に係る投写型映像表示システムにおいて、投写型映像表示装置２は、次のようにして取り付けられる。
先ず、前述のように当て金２４を垂直板部１２に当接させた状態の取付部材１０を用意する。次に、取付部材１０の水平板部１１を投写型映像表示装置２の上面を成す外板１３に形成されている凹部１４に重ねながら、当て金２４と投写型映像表示装置２の後面２ｂとの間の寸法がパーティション１の厚みより少し長くなるように、垂直板部１２と投写型映像表示装置２の後面２ｂとの間の寸法Ｌを調節する。このために、投写型映像表示装置２の凹部１４に対する水平板部１１の位置を調整するとともに、ボルト１５により水平板部１１の下面に投写型映像表示装置２を取り付ける。次に、投写型映像表示装置２の後面２ｂと垂直板部１２との間に、より具体的には、投写型映像表示装置２と当て金２４との間に、投影面１ａの中心の上方となるパーティション１の上端部が差し込まれるように取付部材１０が載置され、その後、把持部２２を把持して固定ねじ２０が締め付けられる。これにより投写型映像表示装置２が取付部材１０の水平板部１１に吊り下げられた状態でパーティション１の上端部に取り付けられる。
【００２２】
本発明に係る実施の形態１は、以上のように構成されているので次のような作用効果を奏することができる。
（１）投写型映像表示装置２の後面２ｂと取付部材１０の垂直板部１２との間にパーティション１の上端部を挟み込むことにより、投写型映像表示装置２の後面２ｂが常に投影面１ａを形成する壁面に密着した状態で取り付けられる。したがって、投影面１ａに対する投写型映像表示装置２の取付角度及び投写型映像表示装置２の非球面反射ミラー２ａと投影面１ａとの距離が常に一定の状態で取り付けられる。例えばパーティション１の上端部における取付位置を左右方向に移動させた場合でも、安定した映像を供給することができる。
【００２３】
（２）投写型映像表示装置２の上面に重ねて取り付けられる取付部材１０の水平板部１１への取付位置、並びに、固定ねじ２０の締め付け程度により、パーティション１の上端部が差し込まれる投写型映像表示装置２の後面２ｂと固定ねじ２０の当て金２４との間隔を調整することができる。したがって、従来のものより、差し込みのできるパーティション１の厚さ範囲を広くすることができる。
【００２４】
（３）投写型映像表示装置２の上面には取付部材１０の水平板部１１の左右方向位置を規制するように規制部として凹部１４が形成されているので、取付部材１０の投写型映像表示装置２の対する取り付け角度が安定する。この結果、投影面１ａに対する投写型映像表示装置２の取付方向を安定させることができ、より一層歪みの少ない映像を供給することができる。
【００２５】
（４）また、投影面１ａに対する投写型映像表示装置２の取付方向を安定させる規制部としての凹部１４が形成されているので、取付部材１０の水平板部１１が投写型映像表示装置の上面に出っ張らない。これにより、投写型映像表示装置取付時の見栄えが良好になっている。
【００２６】
（実施の形態２）
実施の形態２は、取付部材１０に対する投写型映像表示装置２の取付構造を変更したものである。
【００２７】
この実施の形態においては、図４に示すように、投写型映像表示装置２の上面を成す外板１３の上部に、両側に立上部を備えた板部材３１をスポット溶接等により取り付ける。これにより、外板１３の上に取付部材１０の水平板部１１を後方から差し込むことのできる差込部３２が形成されている。差込部３２の幅寸法は、水平板部１１の幅寸法に略同一とされているので、水平板部１１をこの差込部３２に差し込むことにより、投写型映像表示装置２に対する取付部材１０の取付方向が規制される。したがって、差込部３２は、本発明における規制部を形成する。
【００２８】
上記差込部３２は、高さ方向の寸法も水平板部１１の板厚に略同一に形成されている。また、この差込部３２を形成する平板の中央部には、投写型映像表示装置２を取り付けるためのボルト孔として前後方向の長孔３３が形成されている。一方、水平板部１１の中央部には、投写型映像表示装置２を取り付けるためのボルト１５をねじ込むためのねじ孔３４が形成されている。このように長孔３３及びねじ孔３４が形成されることにより、水平板部１１の前後方向の取付位置を調整しながら、上からボルト締めして、取付部材１０の水平板部１１に投写型映像表示装置２を取り付けることができる。なお、ボルト１５に代えて丸頭ねじとしてもよい。
【００２９】
このように構成される実施の形態に係る投写型映像表示システムにおいて、投写型映像表示装置２は次のようにして取り付けられる。
先ず、実施の形態１の場合と同様に、当て金２４を垂直板部１２に当接させた状態の取付部材１０を用意する。次に、取付部材１０の水平板部１１を投写型映像表示装置２上面の差込部３２に対し後方から差し込む。そして、当て金２４と投写型映像表示装置２の後面２ｂとの間の寸法Ｌがパーティション１の厚みより少し長くなるように、差込部３２に対する水平板部１１の位置を調整する。次に、ボルト１５又はこれに代わる丸頭ねじを差込部３２を成す平板部の長孔３３を介し水平板部１１のねじ孔３４に螺合して、投写型映像表示装置２を水平板部１１に固定する。なお、このような調整及び固定作業は、予めパーティション１の厚みを測定しておいて、パーティション１の取付位置から離れた場所で調整することもできる。しかし、差込部３２に水平板部１１を差し込むことにより投写型映像表示装置２を水平板部１１に仮支持することができるので、パーティション１の上端部に対する挟み込む姿勢をとりながら、上記調整作業を行いつつ投写型映像表示装置２を水平板部１１に固定するようにしてもよい。また、後者のようにする方が、垂直板部１２の後方への飛び出しを最小限にすることができるので、投写型映像表示装置２取付後の見栄えが良好になる。
【００３０】
このようにして水平板部１１の下面に投写型映像表示装置２を取り付けた後、投写型映像表示装置２の後面２ｂと垂直板部１２との間に所定位置のパーティション１の上端部が差し込まれるように取付部材１０及び投写型映像表示装置２を載置するとともに、把持部２２を把持して固定ねじ２０を締め付ける。これにより投写型映像表示装置２が取付部材１０の水平板部１１に吊り下げられた状態でパーティション１の上端部に取り付けられる。
【００３１】
実施の形態２に係る投写型映像表示システムは、上記のように構成されているので、次のような効果を奏することができる。
（１）実施の形態１の場合と同様に、投写型映像表示装置２の後面２ｂと取付部材１０の垂直板部１２との間にパーティション１の上端部を挟み込む構成となっているので、投影面１ａに対する投写型映像表示装置２の取付角度及び投写型映像表示装置２の非球面反射ミラー２ａと投影面１ａとの距離が常に一定の状態で取り付けられる。したがって、例えばパーティション１の上端部における取付位置を左右方向に移動させた場合でも、安定した映像を供給することができる。
【００３２】
（２）また、実施の形態１の場合と同様に、投写型映像表示装置２上面の差込部３２に対する水平板部１１の差込量及び固定ねじ２０の締め付け程度により、パーティション１の上端部が差し込まれる投写型映像表示装置２の後面２ｂと固定ねじ２０の当て金２４との間隔を調整することができる。したがって、従来のものより、差し込みのできるパーティション１の厚さ範囲を広くすることができる。
【００３３】
（３）投写型映像表示装置２の上面に規制部として差込部３２が形成されているので、投影面１ａに対する投写型映像表示装置の取付方向を安定させることができる。
（４）投写型映像表示装置２の差込部３２に水平板部１１を差し込むことにより投写型映像表示装置２を仮支持することができる。したがって、投写型映像表示装置２をパーティション１の所定位置の上端部に取り付ける作業しながら、水平板部１１の投写型映像表示装置２に対する取付位置を調整することができる。この結果、投写型映像表示装置２の取付作業が的確かつ容易化される。また、この実施の形態２の場合には、投写型映像表示装置２のメンテナンスなどのために投写型映像表示装置２を取付部材１０から取り外したり、再度取り付けたりする作業が容易になる。
【００３４】
（変形例）
上記実施の形態において以下のように変更することもできる。
（１）取付部材１０の垂直板部１２に取り付けられる固定ねじ２０は、各実施の形態のようなものに限らない。垂直板部１２と投写型映像表示装置２の後面２ｂとの間にパーティション１の上端部を差し込み、投写型映像表示装置２を吊り下げ状態の取付部材１０をこの差し込み部に固定できる構造であれば他の構造としてもよい。
【００３５】
（２）実施の形態１において、取付部材１０の水平板部１１に対する投写型映像表示装置の固定手段を、ボルト、ナット止め構造としているが、この構造に代えて上方からねじ締め可能とする構造に変更してもよいことは勿論である。
【００３６】
（３）また、上記各上記実施の形態においては、投写型映像表示装置２として光変調素子に液晶パネルを用いた液晶プロジェクタを示したが、これに限定されるものではなく、他の画像光生成系を備えた投写型プロジェクタとしてもよい。例えば、ＤＬＰ（Digital Light Processing）（テキサス・インスツルメンツ（ＴＩ社）の登録商標）方式のプロジェクタを本発明に適用してもよい。
【産業上の利用可能性】
【００３７】
本発明に係る投写型映像表示システムは、ホームシアター、会議室、研修室、教室、娯楽場、各種展示室、スタジオなど多方面の施設における映像表示システムとして利用することができる。
【図面の簡単な説明】
【００３８】
【図１】本発明の実施の形態１に係る投写型映像表示システムの投影時の設置状態図であって、（ａ）は正面図であり、（ｂ）は側面図であり、（ｃ）は平面図である。
【図２】同投写型映像表示システムにおける投写型映像表示装置の取付説明図であって、（ａ）は取付部の側面図であり、（ｂ）は投写型映像表示装置及び取付部材の外観斜視図であり、（ｃ）は取付作業要領図である。
【図３】同投写型映像表示システムにおける、投写型映像表示装置の取付部拡大図であり、（ａ）固定ねじ周りの拡大図であり、（ｂ）は同（ａ）におけるＡ方向から見た固定ねじの側面図である。
【図４】本発明の実施の形態２に係る投写型映像表示システムにおける投写型映像表示装置及び取付部材の外観斜視図である。
【図５】従来例に係る投写型映像表示システムの投影時の設置状態図であって、（ａ）は正面図であり、（ｂ）は側面図である。
【図６】他の従来例に係る投写型映像表示システムの投影時の設置状態図であって、（ａ）は正面図であり、（ｂ）は側面図である。
【図７】更なる他の従来例に係る投写型映像表示システムの投影時の設置状態図であって、（ａ）は会議室に設置されている投写型映像表示システムの側面図であり、（ｂ）はその正面図である。
【符号の説明】
【００３９】
１…パーティション、１ａ…投影面、２…投写型映像表示装置、２ａ…非球面反射ミラー、２ｂ…（投写型映像表示装置の）後面、１０…取付部材、１１…水平板部、１２…垂直板部、１３…外板、１４…凹部、２０…固定ねじ、３２…差込部。
【図１】
2009216814.tif 000003
【図２】
2009216814.tif 000004
【図３】
2009216814.tif 000005
【図４】
2009216814.tif 000006
【図５】
2009216814.tif 000007
【図６】
2009216814.tif 000008
【図７】
2009216814.tif 000009